(57)【要約】【課題】水深等に応じて釣糸に取り付ける位置が容易に調節可能な浮子を提供することである。【解決手段】浮子本体１が合成樹脂で外形が円推形の上半分の上部２と合成樹脂で外形が円推形の下半分の下部３で形成されて上部２と下部３はネジ部の螺合で合体されている。  浮子本体１の中には糸巻き４が収容されてネジ部が緩められるて上部２と下部３が上下に移動されると糸巻き４が回動可能になり、ネジ部が締められると糸巻き４の回動が規制され、糸巻き４の胴部４ｂの外周には螺旋状の溝４ｃが形成されている。  貫通孔２ｅから通された釣糸５は螺旋状の溝４ｃに巻き付けられた後貫通孔３ｅに通されて下方に挿通され、図示しない仕掛が取り付けられる。【選択図】    図１
2010193868.tif 000002
【特許請求の範囲】
【請求項１】
浮子本体の上下方向に貫通孔が形成されると共に前記浮子本体が上部と下部に分かれて該上部と下部が互いに上下方向に移動可能に接合された浮子において、前記貫通孔に中に糸巻きが内蔵され、該糸巻きは前記浮子本体の上部と下部が離れた状態で回動可能で、該糸巻きを前記浮子本体の上部と下部を近づけて挾持すると回動規制されることを特徴とする浮子。
【請求項２】
糸巻きの外周に螺旋状の溝を形成したことを特徴とする請求項１記載の浮子。
【発明の詳細な説明】
【技術分野】
【０００１】
本発明は、水深等に応じて釣糸に取り付ける位置が容易に調節可能な浮子に関する。
【背景技術】
【０００２】
従来は、浮木内に希望水深に合った長さの道糸をまいた回転の自由な糸車をとりつけた糸車付浮木が特許文献１で提案されている。
この特許文献１の糸車付浮木の糸車は回転が規制されていないので、浮子から繰り出される釣糸の長さを規制することは出来なかった。
【特許文献１】実開昭５６−１４７８号公報
【発明の概要】
【発明が解決しようとする課題】
【０００３】
解決しようとする問題点は、釣糸の長さのなかで浮子の位置を決めることができないことである。
【０００４】
本発明の目的は前記欠点に鑑み、水深等に応じて釣糸に取り付ける位置が容易に調節可能な浮子を提供することである。
【課題を解決するための手段】
【０００５】
本発明の請求項１は、浮子本体の上下方向に貫通孔が形成されると共に前記浮子本体が上部と下部に分かれて該上部と下部が互いに上下方向に移動可能に接合された浮子において、前記貫通孔に中に糸巻きが内蔵され、該糸巻きは前記浮子本体の上部と下部が離れた状態で回動可能で、該糸巻きを前記浮子本体の上部と下部を近づけて挾持すると回動規制されることを要旨とするものである。
本発明の請求項２は、糸巻きの外周に螺旋状の溝を形成したことを要旨とするものである。
【発明の効果】
【０００６】
本発明の請求項により、浮子本体の下部に対して上部が上下方向に移動されて糸巻きの回動が自由になると、釣糸に対して浮子本体を上下方向に自由に移動させることが可能になるので、容易に釣糸に対して浮子本体の位置を調節することができる。
【産業上の利用可能性】
【０００７】
本発明は浮子全般に利用できる。
【図面の簡単な説明】
【０００８】
【図１】第１実施例で、糸巻きが回動規制された状態の浮子の断面側面図である。
【図２】同浮子本体の上部と下部と糸巻きが分解された浮子の分解断面側面図である。
【図３】第２実施例で、糸巻きが回動規制された状態の浮子の断面側面図と要部拡大断面側面図である。
【発明を実施するための最良の形態】
【０００９】
浮子本体１が合成樹脂で外形が円推形の上半分の上部２と合成樹脂で外形が円推形の下半分の下部３で形成されている。
上部２の下面２ａの内側に凹部２ｂが形成されて凹部２ｂの周壁に雌ネジ２ｃが形成されている。
凹部２ｂの中心に深い収納凹部２ｄとその上側に上方に抜ける貫通孔２ｅが形成されている。
収納凹部２ｄには糸巻き４の上半分が収納可能である。
下部３の上面３ａの内側に筒部３ｂが形成されて筒部３ｂの周壁に雄ネジ３ｃが形成されている。
筒部３ｂの中心に深い収納凹部３ｄとその下側に下方に抜ける貫通孔３ｅが形成されている。
収納凹部３ｄには糸巻き４の下半分が収納可能である。
収納凹部３ｄの孔縁には糸巻き４の軸４ａ、４ａが回動自在に落し込まれる凹部３ｅ、３ｅが形成されている。
凹部３ｅ、３ｅに糸巻き４の軸４ａが落し込まれ後、上部２の雌ネジ２ｃに下部３の雄ネジ３ｃがねじ込まれて、上部２の凹部２ｂの下面２ｆが軸４ａに当接されると糸巻き４の回動が規制される。
糸巻き４の胴部４ｂの外周には螺旋状の溝４ｃが形成されている。
貫通孔２ｅから通された釣糸５は螺旋状の溝４ｃに３回程巻き付けられた後貫通孔３ｅに通されて下方に挿通され、図示しない仕掛が取り付けられる。
【実施例１】
【００１０】
以下、図示の実施例によって本発明を説明すると、図１、図２は第１実施例で図１は糸巻きが回動規制された状態の浮子の断面側面図、図２は浮子本体の上部と下部と糸巻きが分解された浮子の分解断面側面図である。
【００１１】
浮子は、浮子本体１が合成樹脂で外形が円推形の上半分の上部２と合成樹脂で外形が円推形の下半分の下部３で卵形に形成されている。
上部２の下面２ａの内側に凹部２ｂが形成されて凹部２ｂの周壁に雌ネジ２ｃが形成されている。
凹部２ｂの中心に深い収納凹部２ｄとその上側に上方に抜ける貫通孔２ｅが形成されている。
収納凹部２ｄには糸巻き４の上半分が収納可能である。
下部３の上面３ａの内側に筒部３ｂが形成されて筒部３ｂの周壁に雄ネジ３ｃが形成されている。
筒部３ｂの中心に深い収納凹部３ｄとその下側に下方に抜ける貫通孔３ｅが形成されている。
収納凹部３ｄには糸巻き４の下半分が収納可能である。
上部２と下部３は互いに雌ネジ２ｃと雄ネジ３ｃが螺合され、螺合状態によって互いにより近づけたり離したりするように移動させることができる。
凹部３ｄの孔縁には糸巻き４の軸４ａ、４ａが回動自在に落し込まれる凹部３ｅ、３ｅが形成されている。
凹部３ｅ、３ｅに糸巻き４の軸４ａが落し込まれ後、上部２の雌ネジ２ｃに下部３の雄ネジ３ｃがねじ込まれて、上部２の凹部２ｂの下面２ｆが軸４ａに当接され、軸４ａが下部３の凹部３ｅとの間に挾持されると糸巻き４の回動が規制される。
糸巻き４の胴部４ｂの外周には螺旋状の溝４ｃが形成されている。
貫通孔２ｅから通された釣糸５は螺旋状の溝４ｃに３回程巻き付けられた後貫通孔３ｅに通されて下方に挿通され、図示しない仕掛が取り付けられる。
【００１２】
下部３から引き出された釣糸５の長さが調節される時は、下部３に対して上部２が回動されて糸巻き４の軸４ａを押圧していた下面２ｆの当接を解除すると、糸巻き４の回動が自由になって釣糸５に対して浮子本体１を上下方向に自由に移動させることが可能になる。
【００１３】
前記のように浮子が構成されると、浮子本体１の下部３に対して上部２が回動されて糸巻き４の軸４ａを押圧していた下面２ｆの当接を解除すると、糸巻き４の回動が自由になって釣糸５に対して浮子本体１を上下方向に自由に移動させることが可能になるので、容易に釣糸５に対して浮子本体１の位置を調節することができる。
【実施例２】
【００１４】
図３は第２実施例で図３は糸巻きが回動規制された状態の浮子の断面側面図と要部拡大断面側面図である。
【００１５】
浮子は、浮子本体１が可撓性を有する合成樹脂で外形が円推形の上半分の上部２と合成樹脂で外形が円推形の下半分の下部３で形成されている。
上部２の下面２ａの内側に凹部２ｂが形成されて凹部２ｂの周壁に、上下２段の凹部２ｇ、２ｈが全周の複数箇所に形成されている。
凹部２ｂの中心に収納凹部２ｉとその上側に収納凹部２ｉより小内径で深い凹部２ｊと上方に抜ける貫通孔２ｅが形成されている。
収納凹部２ｉに糸巻き４の胴部４ｂの上半分が収納可能である。
下部３の上面３ａの内側に筒部３ｂが形成されて筒部３ｂの周壁に凸部３ｆが全周の複数箇所に形成されている。
筒部３ｂの中心に凹部３ｇとその下側に凹部３ｈとその下側に下方に抜ける貫通孔３ｅが形成されている。
凹部３ｇには糸巻き４の胴部４ｂの下半分が収納可能である。
凹部３ｇに糸巻き４の胴部４ｂが落し込まれ後、下部３の上に上部２が重ねられて上部２の収納凹部２ｉに糸巻き４の胴部４ｂの上半分が収納され、凸部３ｆが下段の凹部２ｈに嵌合されている状態では糸巻き４は回転自在であり、凸部３ｆが上段の凹部２ｇに嵌合されると、糸巻き４の胴部４ｂが収納凹部２ｉと凹部３ｇに挾持されて回動が規制される。
他の構成は全第１実施例と略同一である。
【００１６】
下部３から引き出された釣糸５の長さが調節される時は、下部３に対して上部２が上下に移動されて、凸部３ｆが下段の凹部２ｈに嵌合されるか、上段の凹部２ｇに嵌合されるかで回動の規制が選択される。
【符号の説明】
【００１７】
１  浮子本体
２  上部
２ｅ、３ｅ  貫通孔
３  下部
４  糸巻き
４ｃ  螺旋状の溝
【図１】
2010193868.tif 000003
【図２】
2010193868.tif 000004
【図３】
2010193868.tif 000005